(57)【要約】【課題】粒子を含む流動体または液体のろ過装置において、粒径によって粒子を分級する。【解決手段】複数のフィルタ１，２がケーシング３，４，５内に設けられ、互いに間隔を置いて配置される。フィルタは互いに異なる分級度をもつ。そして、粒子を含む流動体または液体９がケーシング内に導かれ、各フィルタを通過し、各フィルタによって流動体または液体がろ過され、その粒子が分級され、その後、粒子がケーシングから取り出される。【選択図】図１
2004230255.tif 000002
【特許請求の範囲】
【請求項１】
ケーシングと、
互いに異なる分級度をもち、前記ケーシング内に設けられ、互いに間隔を置いて配置された複数のフィルタとからなり、
粒子を含む流動体または液体を前記ケーシング内に導き、前記各フィルタを通過させ、前記各フィルタによって前記流動体または液体をろ過し、その粒子を分級し、その後、前記粒子を前記ケーシングから取り出すようにしたことを特徴とするろ過装置。
【請求項２】
前記各フィルタに平板状のものを使用し、前記流動体または液体に圧力または重力を作用させ、前記流動体または液体を前記フィルタに垂直の方向に流し、前記各フィルタを通過させるようにしたことを特徴とする請求項１に記載の装置。
【請求項３】
前記各フィルタに円筒状のものを使用し、前記各フィルタに互いに異なる径をもたせ、前記各フィルタを同心筒状に配置し、前記ケーシング内において、前記流動体または液体を小径フィルタの内側に導くとともに、前記ケーシングおよびフィルタを前記フィルタの中心軸のまわりに回転させ、前記流動体または液体に遠心力を作用させ、前記流動体または液体を前記フィルタの半径方向に流し、前記各フィルタを通過させるようにしたことを特徴とする請求項１に記載の装置。
【発明の詳細な説明】
【０００１】
【産業上の利用分野】
この発明は、粒子を含む流動体または液体のろ過装置に関するものである。
【０００２】
【従来技術とその問題点】
これまでに、流動体または液体をろ過するろ過装置として種々の構成のものが知られ、使用されている。（例えば、特許文献１参照）
【０００３】
ところで、たとえば、ポリマ、モノマなどの流動体の場合、種々の径の粒子を含むが、最近、その粒子を精密部品、繊維製品などの加工に利用することが試みられている。この場合、その加工精度および品質を高めるには、粒径によって粒子を分級する必要があり、それを達成する装置の開発が要望されている。粒子を含む液体も同様である。
【０００４】
【特許文献１】
特開平７−１７１３１５号公報
【０００５】
【発明の目的】
したがって、この発明は、粒子を含む流動体または液体のろ過装置において、粒径によって粒子を分級することを目的としてなされたものである。
【０００６】
【発明の構成】
この発明によれば、複数のフィルタがケーシング内に設けられ、互いに間隔を置いて配置される。フィルタは互いに異なる分級度をもつ。そして、粒子を含む流動体または液体がケーシング内に導かれ、各フィルタを通過し、各フィルタによって流動体または液体がろ過され、その粒子が分級され、その後、粒子がケーシングから取り出される。
【０００７】
好ましい実施例では、各フィルタに平板状のものが使用され、流動体または液体に圧力または重力が作用し、流動体または液体がフィルタに垂直の方向に流れ、各フィルタを通過する。
【０００８】
他の実施例では、各フィルタに円筒状のものが使用される。フィルタは互いに異なる径をもつ。そして、各フィルタが同心筒状に配置され、ケーシング内において、流動体または液体が小径フィルタの内側に導かれる。さらに、ケーシングおよびフィルタがフィルタの中心軸のまわりを回転し、流動体または液体に遠心力が作用し、流動体または液体がフィルタの半径方向に流れ、各フィルタを通過する。
【０００９】
【実施例の説明】
以下、この発明の実施例を説明する。
【００１０】
図１はこの発明にかかる装置を示す。この装置は流動体または液体のろ過装置であり、複数のフィルタ１，２を有し、フィルタ１，２はケーシング３，４，５内に設けられ、互いに間隔を置いて配置されている。この実施例では、ケーシング３，４，５は上下方向にのび、上下三段に分割されており、その上側部分３および中間部分４は円筒状または角筒状をなし、下側部分５は円錐状または角錐状をなす。さらに、一対のフィルタ１，２がパンチングプレート６，７の片面に張り付けられ、ケーシング３，４，５と組み合わされており、フィルタ１およびパンチングプレート６が上側部分３と中間部分４間に配置され、フィルタ２およびパンチングプレート７が中間部分４と下側部分５間に配置されている。
【００１１】
したがって、ケーシング３，４，５内において、一対のフィルタ１，２が上下方向に間隔を置いて配置されているものである。フィルタ１，２は平板状のものであり、水平方向にのびる。パンチングプレート６，７も平板状のもので、水平方向にのび、フィルタ１，２はパンチングプレート６，７の上面に張り付けられている。さらに、ボルトなどの固定手段８によってケーシング３，４，５、フィルタ１，２およびパンチングプレート６，７が連結され、固定されている。ケーシングの上側部分３、中間部分７および下側部分８のうち、上側部分３はフィルタ１およびパンチングプレート６から取り外すことができ、中間部分４および下側部分５はフィルタ２およびパンチングプレート７から取り外すことができる。
【００１２】
さらに、フィルタ１，２は互いに異なる分級度をもつ。ここで、分級度とは、最大でどれだけの径の粒子がそのフィルタを通過するかを示す数値のことであり、粒子有効通過径と呼ばれることもある。そして、この実施例では、上側フィルタ１に比較的大きい分級度のものが使用され、下側フィルタ２に比較的小さい分級度のものが使用されている。たとえば、フィルタ１は３μの分級度、すなわち粒子有効通過径をもち、フィルタ２は１μの分級度、すなわち粒子有効通過径をもつ。したがって、３μ以下の径の粒子が上側フィルタ１を通過し、１μ以下の径の粒子が下側フィルタ２を通過する。
【００１３】
この装置はバッチ式のものである。そして、粒子を含む流動体または液体９がケーシング３，４，５の上方から供給され、ケーシング３，４，５内に導かれ、カバー１０がケーシング３，４，５の頂面に配置され、カバー１０によって頂面が被覆される。
【００１４】
さらに、ケーシング３，４，５内において、流動体または液体９に圧力または重力が作用する。したがって、流動体または液体９がフィルタ１，２に垂直の方向に流れ、下降し、各フィルタ１，２を通過するが、図２に示すように、流動体または液体９の粒子のうち、３μ以上の径のものについては、その粒子１１は上側フィルタ１を通過せず、１μ以上の径のものについては、その粒子１２は下側フィルタ２を通過しない。したがって、各フィルタ１，２によって流動体または液体９がろ過され、その粒子１１，１２が分級され、３μ以上の径の粒子１１がフィルタ１の上面に堆積し、１〜３μの範囲内の径の粒子１２がフィルタ２の上面に堆積する。一方、フィルタ１，２を通過した流動体または液体９については、それが容器１３内に排出される。
【００１５】
したがって、粒径によって粒子１１，１２が分級されるものである。その後、図３に示すように、ケーシングの下側部分５がフィルタ２およびパンチングプレート７から取り外され、図４に示すように、中間部分４がフィルタ２およびパンチングプレート７から取り外され、粒子１２がケーシング３，４，５から取り出される。さらに、その後、図５に示すように、上側部分３がフィルタ１およびパンチングプレート６から取り外され、粒子１１がケーシング３，４，５から取り出される。したがって、粒子１１，１２の分級後、それを精密部品、繊維製品などの加工に利用することができる。
【００１６】
図６に示すように、流動体または液体９の流路にバルブ１４を設け、流動体または液体９を複数のケーシング３，４，５に使用し、交互に供給するようにしてもよい。
【００１７】
図７は他の形式の装置を示す。この装置でも、複数のフィルタ１５，１６がケーシング１７内に設けられ、互いに間隔を置いて配置されているが、図８に示すように、各フィルタ１５，１６に円筒状のものが使用されており、フィルタ１５，１６は互いに異なる径をもつ。そして、各フィルタ１５，１６が同心筒状に配置されている。したがって、各フィルタ１５，１６がその半径方向に間隔を置いて配置されているものである。この実施例では、一対のフィルタ１５，１６がケーシング１７内に設けられている。さらに、そのパンチングプレート１８，１９に円筒状のものが使用され、フィルタ１５，１６はパンチングプレート１８，１９の内面に張り付けられている。ケーシング１７も円筒状をなす。そして、ケーシング１７、フィルタ１５，１６およびパンチングプレート１８，１９が同心筒状に配置されている。ケーシング１７、フィルタ１５，１６およびパンチングプレート１８，１９は上下方向にのびる。
【００１８】
さらに、この実施例では、カバー２０，２１がフィルタ１５，１６およびパンチングプレート１８，１９の底面に設けられ、カバー２２がケーシング１７の底面に設けられ、カバー２０，２１，２２によって底面が被覆されており、パンチングプレート１８はパンチングプレート１９のカバー２１に支持され、パンチングプレート１９はケーシング１７のカバー２２に支持されている。さらに、カバー２１，２２にリング状のホルダ２３，２４が設けられ、ホルダ２３によってパンチングプレート１８が位置決めされ、ホルダ２４によってパンチングプレート１９が位置決めされている。さらに、ベアリング２５によってケーシング１７が案内され、ケーシング１７はフィルタ１５，１６の中心軸のまわりを回転可能であり、モータ２６に連結されている。モータ２６はインバータ２７で制御することができる。
【００１９】
さらに、図１のフィルタ１，２と同様、フィルタ１５，１６は互いに異なる分級度をもつ。この実施例では、小径フィルタ１５に比較的大きい分級度のものが使用され、大径フィルタ１６に比較的小さい分級度のものが使用されている。たとえば、フィルタ１５は３μの分級度、すなわち粒子有効通過径をもち、フィルタ１６は１μの分級度、すなわち粒子有効通過径をもつ。したがって、３μ以下の径の粒子が小径フィルタ１５を通過し、１μ以下の径の粒子が大径フィルタ１６を通過する。
【００２０】
この装置は遠心分離式のものである。そして、粒子を含む流動体または液体９がケーシング１７の上方から供給され、ケーシング１７内に導かれ、ケーシング１７内において、流動体または液体９が小径フィルタ１５の内側に導かれる。その後、カバー２８がケーシング１７の頂面に配置され、カバー２８によって頂面が被覆される。さらに、カバー２８にリング状のホルダ２９，３０が設けられており、ホルダ２９によってパンチングプレート１８が位置決めされ、ホルダ３０によってパンチングプレート１９が位置決めされる。
【００２１】
さらに、モータ２６によってケーシング１７が駆動され、ケーシング１５、フィルタ１５，１６およびパンチングプレート１８，１９がフィルタ１５，１６の中心軸のまわりを回転する。したがって、流動体または液体９に遠心力が作用し、流動体または液体９がフィルタ１５，１６の半径方向に流れ、各フィルタ１５，１６を通過するが、図９および図１０に示すように、流動体または液体９の粒子のうち、３μ以上の径のものについては、その粒子１１は小径フィルタ１５を通過せず、１μ以上の径のものについては、その粒子１２は大径フィルタ１６を通過しない。したがって、各フィルタ１５，１６によって流動体または液体９がろ過され、その粒子１１，１２が分級され、３μ以上の径の粒子１１がフィルタ１５の内面に堆積し、１〜３μの範囲内の径の粒子１２がフィルタ１６の内面に堆積する。一方、フィルタ１５，１６を通過した流動体または液体９については、適宜の回転排出機構がケーシング１７とバルブ３１間に設けられており、流動体または液体９がバルブ３１から排出される。
【００２２】
したがって、粒径によって粒子１１，１２が分級されるものであり、その後、図１１に示すように、カバー２８がケーシング１７から取り外される。さらに、フィルタ１５およびパンチングプレート１８がケーシング１７から引き抜かれ、粒子１１がケーシング１７から取り出される。さらに、図１２に示すように、フィルタ１６およびパンチングプレート１９がケーシング１７から引き抜かれ、粒子１２がケーシング１７から取り出される。したがって、粒子１１，１２を精密部品、繊維製品などの加工に利用することができる。
【００２３】
上記実施例では、一対のフィルタをケーシング内に設け、互いに間隔を置いて配置したものを説明したが、それ以上の数のフィルタをケーシング内に設け、互いに間隔を置いて配置し、各フィルタが互いに異なる分級度、すなわち粒子有効通過径をもつようにしてもよい。そして、各フィルタによって流動体または液体をろ過し、その粒子を分級することもできる。
【００２４】
【発明の効果】
以上説明したように、この発明によれば、粒径によって粒子を分級し、それをケーシングから取り出し、精密部品、繊維製品などの加工に利用することができ、所期の目的を達成することができるものである。
【図面の簡単な説明】
【図１】この発明の実施例を示す縦断面図である。
【図２】図１の装置の流動体または液体がろ過され、その粒子が分級された状態を示す縦断面図である。
【図３】図２の装置の粒子を取り出す工程を示す縦断面図である。
【図４】図３の装置の次の工程を示す縦断面図である。
【図５】図４の装置の次の工程を示す縦断面図である。
【図６】他の実施例を示す縦断面図である。
【図７】他の実施例を示す縦断面図である。
【図８】図７の装置の横断面図である。
【図９】図７の装置の流動体または液体がろ過され、その粒子が分級された状態を示す縦断面図である。
【図１０】図９の装置の横断面図である。
【図１１】図９の装置の粒子を取り出す工程を示す縦断面図である。
【図１２】図１１の装置の次の工程を示す縦断面図である。
【符号の説明】
１，２，１５，１６  フィルタ
３，４，５，１７  ケーシング
９  流動体または液体
１１，１２  粒子
【図１】
2004230255.tif 000003
【図２】
2004230255.tif 000004
【図３】
2004230255.tif 000005
【図４】
2004230255.tif 000006
【図５】
2004230255.tif 000007
【図６】
2004230255.tif 000008
【図７】
2004230255.tif 000009
【図８】
2004230255.tif 000010
【図９】
2004230255.tif 000011
【図１０】
2004230255.tif 000012
【図１１】
2004230255.tif 000013
【図１２】
2004230255.tif 000014